(57)【要約】本発明の装置は、情報を多くのレイヤ（Ｌ０、Ｌ１、．．．）に記憶することができるデータ担体に記憶された情報を処理するように意図されている。しばしば、前記情報はファイル及び関連サブファイルにおいて配列されている。主ファイルから関連サブファイルへの移動が速くなされ、その逆もそうであるように、同じ近傍にファイル及び関連サブファイルを配列することを提供している。例えば、小さい携帯用スクリーンにおいて用いるために、品質は良好である。ユーザが（大きい）スクリーンにおいてストリームを表示することを希望する場合、他のレイヤに位置付けられたエンハンスメントサブファイルが用いられ、それにより、ベースレイヤストリームに更なる特徴を提供される。
2006527894.tif 000002
【特許請求の範囲】
【請求項１】
情報が第１位置指示及び少なくとも第２位置指示により規定される位置に記憶されることができるデータ担体に記憶された情報を処理するための装置であって：
前記データ担体においてデータを読み出す及びデータを書きこむための担体ヘッド；
前記位置に従って前記担体ヘッドを移動させるための制御手段；
を有する装置であり、
関連サブファイルを有するファイルの少なくとも一部は前記第１位置からアクセス可能であるように、前記データ担体に記憶されている前記情報がファイル及び関連サブファイルにおいて配置されている；
ことを特徴とする装置。
【請求項２】
請求項１に記載の装置であって、前記データ担体は取り外し可能なデータ担体である、ことを特徴とする装置。
【請求項３】
請求項１又は２に記載の装置であって、前記データ担体は少なくとも２つのレイヤを有する光ディスクであり、前記第１位置指示は前記ディスクの表面領域における位置を規定し、前記第２位置指示は想定されるレイヤを規定する、ことを特徴とする装置。
【請求項４】
請求項１乃至３の一項に記載の装置であって、他の関連ファイルに基づいてファイルにおける欠陥を管理するための手段を備えている、ことを特徴とする装置。
【請求項５】
請求項１乃至４の一項に記載の装置で用いるために適切であるデータ担体であって、ファイルの一部及びそのファイルに関連サブファイルが共に近くにあるようにファイル及び関連サブファイルにおいて組織化されたデータを有する、ことを特徴とするデータ担体。
【請求項６】
請求項５に記載のデータ担体であって、少なくとも２つのレイヤを有する光ディスクにより構成され、関連サブファイルを有する前記ファイルはディスクの同じ位置における異なるレイヤにある、ことを特徴とするデータ担体。
【請求項７】
請求項６に記載のデータ担体であって、前記ファイル及び関連サブファイルは１つ又は複数のレイヤにおいて共に近くに位置付けられている、ことを特徴とするデータ担体。
【請求項８】
複数の関連サブファイルを有するファイルを記憶するための方法であって：
所定位置にファイルを位置付ける段階；及び
関連サブファイルを共に近くに位置付ける段階；
を有することを特徴とする方法。
【請求項９】
請求項１乃至４に記載の装置に対して適切である光学ヘッド。
【発明の詳細な説明】
【技術分野】
【０００１】
本発明は、情報が第１位置指示及び少なくとも第２位置指示により規定された位置に記憶されることができるデータ担体に記憶された情報を処理するための装置であって：
−  前記データ担体においてデータを読み出す又はデータを書き込むための担体ヘッドと；
−  それらの位置に従って前記担体ヘッドを移動させるための制御手段と；
を有する装置に関する。
【０００２】
この装置は、特に、レーザを有するヘッドにより走査される複数のレイヤを有する光ディスクにより構成されるデータ担体に対して、多くのアプリケーションを得る。この場合、第１指示は、担体ヘッドが位置付けらなければならないディスクにおける位置により与えられ、第２指示は、担体ヘッドのレーザがフォーカシングされなければならないレーザにより与えられる。
【０００３】
そのようなディスクにおいては、ファイルは他のサブファイルにリンクされることが可能であり、それらのサブファイルに含まれる情報の適切な管理のためにファイル及びサブファイルを結合することが必要である。これは、特に、表示目的のために、表示装置においてエンハンスメントを有する映画においてこれが可能である場合がそうである。
【背景技術】
【０００４】
既知のこの種類の装置については、特許文献、米国特許出願公開第２００２／００５４５５０に記載されている。この特許文献においては、ファイル及び関連サブファイルの処理のための手段については開示していない。
【発明の開示】
【発明が解決しようとする課題】
【０００５】
本発明の目的は、比較的短いアクセス時間でファイル及び関連サブファイルを処理することが可能である上記のような装置を提供することである。
【０００６】
この目的のために、情報が第１位置指示及び少なくとも第２位置指示により規定された位置に記憶されることができるデータ担体に記憶された情報を処理するためのそのような装置は：
−  前記データ担体においてデータを読み出す又はデータを書き込むための担体ヘッドと；
−  それらの位置に従って前記担体ヘッドを移動させるための制御手段と；
を有し、関連サブファイルを有するファイルの少なくとも一部が前記第１位置からアクセスされるように、データ担体に記憶された前記情報はファイル及び関連サブファイルにおいて配列されている。
【０００７】
本発明は又、少なくとも一部のファイル及びそのファイルに関連サブファイルが共に近いように、ファイル及び関連サブファイルにおいて組織化されたデータを有するデータ担体を提供する。
【０００８】
更に、本発明は、複数の関連サブファイルを有するファイルを記憶するための方法であって：
−  所定位置にファイルを位置付ける段階と；
−  関連サブファイルを共に近くに位置付ける段階と；
を有する方法を提供する。
【発明を実施するための最良の形態】
【０００９】
図１は、データ担体１が備えられている装置を示している。このデータ担体は、２つの層Ｌ０及びＬ１を有する光ディスクであることが可能である。図１においては、データ担体は断面図として示されている。ディスクモータ３はデータ担体を回転させる。このデータ担体において、光学ヘッド１３に組み込まれたレンズ１２は、レーザ光ビーム１４をフォーカシングする。焦点は、第１層Ｌ０又は第２層Ｌ１に置かれる。この光学ヘッド１３は、スレッジモータ１７において機能する電気回路（図示せず）の制御に依存するデータ担体の半径方向に沿って移動されることができるスレッジ１６内に備えられているアクチュエータ１５内に備えられている。このスレッジ内には、アクチュエータ装置のために、小さい動きがある。参照番号２０で示される半径方向位置決めのためのアクチュエータ及び参照番号２２で示される焦点位置決めのためのアクチュエータを備えている。矢印２６は焦点位置決め方向を示し、矢印２８は半径方向位置決め方向を示している。アクチュエータは、コイル、磁石戻しばね等の電気技術構成要素で構成されている。スレッジは又、信号を供給する光検出器を有する。それらの信号は、一方で、例えば、スクリーン４０上にピクチャを表示するために、他方で、複数のサーボを制御するために用いられる。スプリッタ装置４２は、それらの信号を関連装置に方向付ける。特に、信号ＴＲｆは、フォーカシング装置４５によりフォーカシングするために用いられ、他の信号ＴＲｒは、半径方向案内装置５０により半径方向位置決めするために用いられる。
【００１０】
特定の場合、符号化が、関連サブフィールドと呼ばれる１つ又はそれ以上のエンハンスメントレイヤファイル及びベースレイヤファイルを用いる。この技術においては、特定の品質レベルであって、例えば、小さい携帯用スクリーンにおいて用いる良好な品質を有する映像ストリームを符号化するためにベースレイヤファイルが用いられる。ユーザがこのようなストリームを（大きい）スクリーン上に表示することを希望する場合、ベースレイヤストリームに付加品質を与えるエンハンスメントレイヤを用いることができる。
【００１１】
エンハンスメントレイヤが用いられる場合、復号化器は、ベースレイヤファイル及び１つ又はそれ以上のエンハンスメントファイルの両方の対応する部分にアクセスする必要がある。典型的には、ベースレイヤコンテンツは、各々のレイヤＬ０又はＬ１における個別のファイルに記憶される。これは、多かれ少なかれ同じ時間に２つ又はそれ以上の個別のファイルからの対応するデータを必要とすることを意味する。
【００１２】
それらの個別のファイルが光媒体に記憶される場合、光ドライブが、例えば、ハードディスクドライブと比較して、比較的長いアクセス時間を有するため、それらの個別のファイルのアクセス時間は問題になり得る。比較的大きいバッファを用いることにより、データレートに対して光ドライバは速いため、この問題を解決することができる。本発明は、しかしながら、複数のレイヤのディスクにおいて個別のファイルを賢明に割り当てることにより解決方法を提供するものである。
【００１３】
図２は、本発明の手段を好的な方法で適用することができる光ディスクを示している。ファイル１１０におけるデータは、レイヤＬ０における円形トラック１００に沿って記憶される。ディスクの中心はＣｔである。他のレイヤＬ１において他のトラックを備えることができるが、それは図２においては可視的ではない。全く同一のベースファイルに関連ファイルは、複数のレイヤ及び同じ半径Ｒｉに位置決めされるトラックに沿って配列され、それ故、それらのファイル全ては、ビーム焦点のシフトにより及び／又は非常に小さい移動を伴ってアクセスされることができる。
【００１４】
光ドライブの比較的長いアクセス時間は、ＣＬＶ（一定線形速度）及び媒体光学ヘッド１３の移動の場合のディスク回転の結果である。複数レイヤのディスクの場合の他の層へのフォーカシング自体は、しかしながら、非常に速いプロセスである（即ち、両方のアクセスポイントが同じ半径Ｒｉにあり、光学ヘッドの移動又はディスクの回転が必要でないとき）。
【００１５】
本発明により提供される手段は、全オーバーヘッドタイム（主に、ディスクに対するジャンピングによりもたらされる）が最小化されるように、多層レイヤ（ベースレイヤ及びエンハンスメントレイヤ）の複数のファイルの割り当てを含む。ベースレイヤ及び２つのエンハンスメントレイヤを有するデュアルレイヤのディスクに対する基本概念について、下に示す。
【００１６】
実施例において、図３を参照するに、ベースレイヤファイルＢＬはディスクのレイヤＬ０における４つの領域に位置付けられている。エンハンスメントレイヤ又は関連サブファイルＥＬ１、ＥＬ２はディスクのレイヤＬ１に位置付けられている。３つのファイル（ベースレイヤ及び２つのエンハンスメントレイヤ）の対応する部分は、所定の位置Ｐ１、Ｐ２、Ｐ３及びＰ４において同じ半径に（しかし、異なるレイヤに）できるだけ多く位置付けられている。そのような所定位置から、フォーカシングをシフトすることによりＬ０及びＬ１におけるファイルにアクセスすることは容易で速いものである。
【００１７】
選択された領域のサイズ及び数は、例としてのみ、与えられた。これは又、ベースレイヤを有するファイルの領域数及びエンハンスメントレイヤを有するファイルの領域数は等しい必要はない（それらは、例であるため）ことを意味する。又、図４及び図５におけるようなＬ０におけるベースファイル及びＬ１におけるエンハンスメントレイヤサブファイルの位置は入れ替えられることが可能である。多くの他の例について、明らかに考案可能である。
【００１８】
通常、ベースレイヤファイル及びエンハンスメントレイヤファイルにおいては、サイズは大きく異ならず、それにより、図３において与えられるような分配構造を用いることが可能である。しかしながら、種々のレイヤのサイズに関しては制限が存在しないため、理論的には、大きいベースレイヤ及び小さいエンハンスメントレイヤ又はその反対を有することが可能である。図４に示す例においては、可能な分配が、小さいベースレイヤ及び相対的に大きいエンハンスメントレイヤに対して与えられている。
【００１９】
このような図４に示す例においては、ベースレイヤファイル（ａ）の領域は、ディスクのレイヤＬ０において読み出され、レイヤＬ１におけるサブファイル（ｂ）のエンハンスメントレイヤファイルの対応する領域及び他のサブファイル（ｃ）の領域により後続される。その後、同じシーケンスが他の領域又は他のサブファイル（ｄ等）に対して後続される。
【００２０】
両方の例においては、領域間（ディスクレイヤの各々）にはある空間又はギャップが存在する。これは、主に、描画を明瞭にするためになされるものである。通常の場合、領域間には空間はない（しかしながら、勿論、このような空間を有することは可能である）。明確化目的のために、図４に示す例について、図５のディスクにおける連続した領域と共に示している。
【００２１】
ディスクにおいて種々の対応するファイルを分配するこの方法の有利点について、ジャンピングにおいて費やされる少ない時間がデータを読み出すためにより多くの時間をもたらすため、ドライブシステムの全性能のフィールドにおいて理解できる。それに次いで又、全消費電力（ジャンピングにおいて費やされる少ない時間は、ある期間、部品又は全体のドライブをオフにし、それにより電力を節約することができる）、少ないジャンピングによるノイズ低減、ジャンピングによるドライブの少ない摩耗等の点で有利である。
【００２２】
全く異なる問題点に関連する有利点が欠陥管理において得られる。ディスク表面における引っ掻き傷が一部のデータを損傷したことを想定する。そのような引っ掻き傷は、典型的には、第１レイヤ及び第２レイヤの両方におけるデータの損失をもたらす。上記のようなデータの分配は、ベースレイヤ及びエンハンスメントレイヤの両方における映像の（多かれ少なかれ関連する）一部の損失に繋がる。これは、ベースレイヤファイルが失われた場合には、エンハンスメントレイヤにおける情報はもはや価値を失うため、有利である。それ故、対応するエンハンスメントレイヤの情報が失われることは、映像ストリームにおける他のポイントのある他の情報が失われることより、より良い。
【００２３】
実際には、小さいエラーに伴って、両方のディスクレイヤの２つのファイルにおいて失われたデータは、タイミングの観点から全く対応していないが、これは、大きいエラー領域を伴う場合である。
【００２４】
本発明は又、上記の考慮により、光ディスクにおける欠陥の管理に又、関する。
【図面の簡単な説明】
【００２５】
【図１】本発明に従った装置を示す図である。
【図２】本発明に有される光ディスクを示す図である。
【図３】本発明に従ったファイル処理の第１実施形態を示す図である。
【図４】本発明に従ったファイル処理の第２実施形態を示す図である。
【図５】特定のファイル間にギャップを有さないファイル処理の第２実施形態を示す図である。
【図１】
2006527894.tif 000003
【図２】
2006527894.tif 000004
【図３】
2006527894.tif 000005
【図４】
2006527894.tif 000006
【図５】
2006527894.tif 000007
【国際調査報告】
2006527894.tif 000008
2006527894.tif 000009
2006527894.tif 000010